(57)【要約】【課題】被清掃面に付着してプラスに帯電した菌が、回転ブラシに付着し難い電気掃除機用床ノズルを提供すること。【解決手段】ノズルケース２と、ノズルケース２の内側に配され抗菌剤を有する帯電プレート１６と、回転ブラシ６と、前記回転ブラシ６を回転させるブラシモータ８とを備え、前記帯電プレート１６の材質は回転ブラシ６のブラシ部の材質よりも帯電列を負帯電側とし、前記帯電プレート１６と前記ブラシ部とを接触させ、前記ブラシ部をプラスに帯電させるようにした。これにより、床面に付着し、一般的に同じくプラスに帯電している菌を、静電気的な反発を利用して、回転ブラシ６のブラシ部に付着し難くできるようになる。【選択図】図１
2005118259.tif 000002
【特許請求の範囲】
【請求項１】
ノズルケースと、前記ノズルケースの内側に配され、抗菌剤を有する帯電プレートと、回転ブラシと、前記回転ブラシを回転させるモータとを備え、前記帯電プレートの材質は前記回転ブラシのブラシ部の材質よりも帯電列を負帯電側とし、前記帯電プレートと前記ブラシ部とを接触させ、前記ブラシ部をプラスに帯電させるように構成した電気掃除機用床ノズル。
【請求項２】
回転ブラシのブラシ部の材質は、被清掃面よりも帯電列を正帯電側とし、帯電プレートをノズルケース底面の開口部に対して回転ブラシの前側に配し、前記ブラシ部が、帯電プレートと接触した後に被清掃面と接触するように構成した請求項１に記載の電気掃除機用床ノズル。
【請求項３】
回転ブラシのブラシ部の材質が、ポリアミドである請求項１または２に記載の電気掃除機用床ノズル。
【請求項４】
帯電プレートの材質が、ポリプロピレン、ポリエチレン、アクリル樹脂、塩化ビニル、テフロン（Ｒ）、ポリエステルのいずれか１つである請求項１〜３のいずれか１項に記載の電気掃除機用床ノズル。
【請求項５】
抗菌剤が無機系の抗菌剤である請求項１〜４のいずれか１項に記載の電気掃除機用床ノズル。
【請求項６】
抗菌剤が有機系の抗菌剤である請求項１〜４のいずれか１項に記載の電気掃除機用床ノズル。
【発明の詳細な説明】
【技術分野】
【０００１】
本発明は電気掃除機用床ノズルに関するものである。
【背景技術】
【０００２】
従来、この種の電気掃除機において、敷物などの被清掃面とブラシ部が摩擦することで発生する静電気を利用して被清掃面の塵埃を吸い込むものがある（例えば、特許文献１参照）。
【０００３】
図３は、前記特許文献１に記載された従来の電気掃除機の吸口部分を示すものである。図３に示すように、ロータリーブラシ６は、負極帯電性の摺擦部材１１として、軟質ポリ塩化ビニル樹脂かなるブレード１１ａと、軟質ポリ塩化ビニル樹脂からなる繊維を植毛したブラシ１１ｂからなり、敷物を中心とする床材繊維の素材と摩擦したときに負極に帯電するため、静電気力で集塵する構成である。
【特許文献１】特開平１１−２１６０８９号公報
【発明の開示】
【発明が解決しようとする課題】
【０００４】
しかしながら、前記従来の構成では、負極帯電性の摺擦部材１１は負極に帯電するため、静電気によりプラスに帯電した集塵を引き寄せる効果があり、被清掃面に付着している菌は、一般にプラスに帯電しているために、摺擦部材１１に菌が付着、残存しやすいという課題を有していた。
【０００５】
本発明は、前記従来の課題を解決するもので、被清掃面に付着し、プラスに帯電した菌がブラシ部に付着しない電気掃除機用床ノズルを提供することを目的とする。
【課題を解決するための手段】
【０００６】
前記従来の課題を解決するために、本発明の電気掃除機用床ノズルは、帯電プレートの材質はブラシ部の材質よりも帯電列を負帯電側材質とし、前記帯電プレートと前記ブラシ部とを接触させ、前記ブラシ部をプラスに帯電させるように構成したものである。これによって、回転ブラシのブラシ部がプラスに、帯電プレートがマイナスに帯電する。
【発明の効果】
【０００７】
本発明の電気掃除機用床ノズルは、被清掃面に生息する菌がブラシ部に付着せず、帯電プレートに菌が付着した場合でも、抗菌剤により繁殖を防ぐことができる。
【発明を実施するための最良の形態】
【０００８】
第１の発明は、ノズルケースと、前記ノズルケースの内側に配され抗菌剤を有する帯電プレートと、回転ブラシと、前記回転ブラシを回転させるモータとを備え、前記帯電プレートの材質は前記回転ブラシのブラシ部の材質よりも帯電列を負帯電側材質とし、前記帯電プレートと前記ブラシ部とを接触させ、前記ブラシ部をプラスに帯電させるように構成したものである。
【０００９】
そして、負帯電側材質の帯電プレートと摩擦することで、帯電プレートはマイナスに帯電し、回転ブラシはプラスの電荷を強めることができる。被清掃面に付着する菌は一般的にプラスに帯電していることが多いため、回転ブラシとは静電気的に反発し、回転ブラシのブラシ部に付着し難くなる。
【００１０】
また逆に、帯電プレートはマイナスに帯電するため、プラスに帯電した菌を引き寄せやすいが、抗菌剤を含有しているため、菌が付着しても繁殖することはない。
【００１１】
第２の発明は、第１の発明に加えて、回転ブラシのブラシ部の材質は、被清掃面よりも帯電列を正帯電側とし、帯電プレートをノズルケース底面の開口部よりも回転の前段側に配し、回転ブラシが帯電プレートと接触した後に、被清掃面と接触するように構成したものである。
【００１２】
そして、回転ブラシがプラスに帯電した後に被清掃面と接触し、この際ブラシ部の材質は被清掃面よりも帯電列を正帯電側としているので、ブラシ部はさらにプラスに帯電し、被清掃面はブラシ部と摩擦してマイナスに帯電し、このマイナスに帯電した被清掃面に引き寄せられる菌は、プラスに帯電しているため、上記プラスに帯電したブラシ部と静電気的に反発し、回転ブラシに付着し難くなる。
【００１３】
第３の発明は、第１または第２の発明の回転ブラシの材質を、ポリアミドで構成したものであり、被評価面として想定される木材、塩化ビニル、ポリプロピレン等よりも耐電列が正帯電側であり、摩擦した際にプラスに帯電する。また、耐摩耗性に優れるため、被評価面や、帯電プレートとの摩擦に耐えることができる。
【００１４】
第４の発明は、第１〜第３のいずれか１つの発明の帯電プレートの材質を、ポリプロピレン、ポリエチレン、アクリル樹脂、塩化ビニル、テフロン（Ｒ）、ポリエステルのいずれか１つで構成するものであり、これらの材質はナイロンよりも耐電列が負帯電側であり、ブラシ部と摩擦した際にマイナスに帯電する。
【００１５】
第５の発明は、第１〜第４のいずれか１つの発明の抗菌剤が、無機系の抗菌剤とするものであり、無機系の抗菌剤は安全性・耐熱性に優れ、持続性が長いため、抗菌効果を保つことができる。
【００１６】
第６の発明は、第１〜第４のいずれか１つの発明の抗菌剤が、有機系の抗菌剤とするものであり、有機系の抗菌剤は、有機系の抗菌剤に比べて即効性が高いため、付着した菌の繁殖を効果的に行うことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電気掃除機用床ノズルの断面図を示すものである。
【００１９】
図１において、掃除機用床ノズル本体１は、ノズルケース２と、その前方内部に下方に開口した開口部３を有する吸い込み室４が、後方内部にはモータ室５が構成され、前記モータ室５は隔壁１２によって吸い込み室４と区画されている。
【００２０】
モータ室５の後方内面には回転自在に摺動する吸い込み継ぎ手１０があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００２１】
ノズルケース２の下方部には、開口部３の後方に平行に取り付けられた固定ブラシ１３と、車輪１４、１５が設けられている。吸い込み室５側のノズルケースには帯電プレートであるであるポリエチレンプレート１６が設けられており、ポリエチレンプレート１６には無機系抗菌剤である銀ゼオライト系抗菌剤１７が含まれている。
【００２２】
吸い込み室４内にはこれと平行に設けられた回転ブラシ６があり、ベルト７を介してモータ室５内のブラシモータ８の回転により回転する。回転ブラシ６の毛はポリアミドである６ナイロン製のブラシ部１８から構成されている。
【００２３】
以上のように構成された電気掃除機用床ノズルについて、以下その動作、作用を説明する。まず、図示されていないスイッチを押して掃除機を作動させると、ブラシモータ８に通電が開始される。
【００２４】
ブラシモータ８の回転は、ベルト７を介して回転ブラシ６に伝わり、回転ブラシ６を回転させる。回転ブラシ６が回転すると、６ナイロン製のブラシ部１８が、ポリエチレンプレート１６と摩擦し、帯電率が正帯電側の６ナイロン製のブラシ部１８がプラスに、帯電率が負帯電側のポリエチレンプレート１６がマイナスに帯電する。
【００２５】
回転ブラシ６は図１の矢印で示した方向で回転するため、ポリエチレンプレート１６は、開口部３よりも回転の前段側に位置することとなり、６ナイロン製のブラシ部１８は、ポリエチレンプレート１６と摩擦し、プラスに帯電した後に、被清掃面と接触することとなる。
【００２６】
被清掃面のゴミは、回転ブラシ６の回転と、吸引力により、開口部３よりノズルケース２の吸い込み室４に入る。この際、被清掃面に付着していた菌も、ゴミととも吸引されるが、この菌は一般にプラスに帯電しているため、同じくプラスに帯電している６ナイロン製のブラシ部１８とは静電気的に反発し、表面に付着することなく吸引されていく。
【００２７】
一方、マイナスに帯電したポリエチレンプレート１６には、プラスの菌が付着しやすいが、ほとんどの菌はポリエチレンプレート１６と接触する前に吸引されてしまっており、万一付着した場合にも、銀ゼオライト系抗菌剤１７と接触するため、繁殖を抑制される。
【００２８】
尚、本実施の形態では、回転ブラシ６のブラシ部１８を６ナイロン製としたが、６６ナイロンでも同様の効果を示すものである。
【００２９】
また、無機系の抗菌剤を銀ゼオライト系抗菌剤としたが、シリカゲル、ガラス、リン酸カルシウム、リン酸ジルコニウム、ケイ酸塩、酸化チタン等の担体に、銀、銅、亜鉛を担持したものであっても同様の効果を示すものである。
【００３０】
（実施の形態２）
図２は、本発明の第２の実施の形態の電気掃除機用床ノズルの断面図を示すものである。図２において、掃除機用床ノズル本体１は、ノズルケース２と、その内部に下方に開口した開口部３がある。ノズルケース２の後方内面には図示されていない回転自在に摺動する吸い込み継ぎ手があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００３１】
ノズルケース２の下方部には、開口部３の後方に平行に取り付けられた固定ブラシ１３と、車輪１４、１５が設けられている。ノズルケースの内壁には帯電プレートであるであるテフロン（Ｒ）プレート２６が設けられており、テフロン（Ｒ）プレート２６には有機系抗菌剤である第四級アンモニウム塩の抗菌剤２７が含まれている。
【００３２】
ノズルケース２内には回転ブラシ６があり、回転ブラシ６の筒の内部に収納されたブラシモータ８の回転により回転する。回転ブラシ６の毛はポリアミドである６ナイロン製のブラシ部１８からから構成されている。
【００３３】
以上のように構成された電気掃除機用床ノズルについて、以下その動作、作用を説明する。まず、図示されていないスイッチを押して掃除機を作動させると、ブラシモータ８に通電される。
【００３４】
ブラシモータ８により、回転ブラシが回転する。回転ブラシが回転すると６ナイロン製のブラシ部１８が、テフロン（Ｒ）プレート２６と摩擦し、帯電率が正帯電側の６ナイロン製のブラシ部１８がプラスに、帯電率が負帯電側のテフロン（Ｒ）プレート２６がマイナス側に帯電する。
【００３５】
回転ブラシ６は図１の矢印で示した方向で回転するため、テフロン（Ｒ）プレート２６は、開口部３よりも回転の前段側に位置することとなり、６ナイロン製のブラシ部は、テフロン（Ｒ）プレート２６と摩擦し、プラスに帯電した後に、被清掃面と接触することとなる。
【００３６】
被清掃面のゴミは、回転ブラシ６の回転と、吸引力により、開口部３よりノズルケース内部に入る。この際、被清掃面に付着していた菌も、ゴミともに吸引されるが、この菌は一般にプラスに帯電しているため、同じくプラスに帯電している６ナイロン製のブラシ部１８とは静電気的に反発し、表面に付着することなく吸引されていく。
【００３７】
一方、マイナスに帯電したテフロン（Ｒ）プレート２６には、プラスの菌が付着しやすいが、ほとんどの菌はテフロン（Ｒ）プレート２６と接触する前に吸引されてしまっており、万一付着した場合にも、第四級アンモニウム塩２７と接触するため、繁殖を抑制される。
【００３８】
尚、本実施の形態では、有機系の抗菌剤を第四級アンモニウム塩としたが、チオシアナト化合物、イソチアゾリノン誘導体、ロードプロパルギル誘導体、ビグアニド化合物、アルデヒド類、フェノール類、ベンズイミダゾール誘導体、ピリジンオキシド、カルバニリド、ジフェニルエーテル等の合成系の抗菌剤や、リモネン、シトラール、アネトール、サフロール、シトロネラール、シトロネロール、α−ピネン、ペリラアルデヒド、ペリラアルコール等の天然系の抗菌剤でも同様の効果を示すものである。
【産業上の利用可能性】
【００３９】
以上のように、本発明にかかる電気掃除機用床ノズルは床面に付着し、プラスに帯電した菌をブラシ部に付着させないことが可能となるので、ブラシ部を清潔に保つことができ、床面の清掃と卓上の清掃の両用途を可能とする電気掃除機用に適用できる。
【図面の簡単な説明】
【００４０】
【図１】本発明の実施の形態１における電気掃除機用床ノズルの断面図
【図２】本発明の実施の形態２における電気掃除機用床ノズルの断面図
【図３】従来の従来の電気掃除機の吸口部分を示す断面図
【符号の説明】
【００４１】
１  掃除機用床ノズル本体
２  ノズルケース
３  開口部
６  回転ブラシ
８  ブラシモータ
１６  ポリエチレンプレート（帯電プレート）
１７  銀ゼオライト系抗菌剤（無機系抗菌剤）
１８  ブラシ部
２６  テフロン（Ｒ）プレート（帯電プレート）
２７  第四級アンモニウム塩（有機系抗菌剤）
【図１】
2005118259.tif 000003
【図２】
2005118259.tif 000004
【図３】
2005118259.tif 000005